(57)【要約】【課題】原稿台カバーの開閉とイオンの放出とを関連付けてイオンを放出させ、効率のよい空気清浄を行う空気清浄装置付き画像形成装置を提供する。【解決手段】  原稿台カバー４２の開閉角度により空気清浄装置７１からのイオンの放出方向および風量を調節する。制御部７４は、原稿台カバー４２の開閉角度が所定角度の値よりも小さいとき、空気清浄装置７１のイオン放出方向を自装置側に向かって放出し、また、原稿台カバー４２の開閉角度が所定角度の値よりも大きいとき、イオンを画像形成装置の上方に向かって放出する。したがって、放出されたイオンが原稿台カバーに当たることなく、居室空間に放出することができ、効率によい空気清浄を行うことができる。【選択図】図１４
2011090109.tif 000002
【特許請求の範囲】
【請求項１】
画像形成装置本体の上に一端側の回動軸周りに開閉回動自在に設けられた原稿台カバーと、該原稿台カバーの回動軸側に設置され、イオンを放出するイオン発生素子および送風機を有する空気清浄装置と、前記原稿台カバーの開閉状態を検出する角度検出センサと、該角度検出センサからの検出角度信号に基づいて前記空気清浄装置からの送風方向および送風量を調整制御する制御部とを備え、
前記制御部は、原稿台カバーの開角度が所定角度よりも小さいときに画像形成装置本体側に向かってイオンを放出し、また、原稿台カバーの開角度が所定角度よりも大きいときに上方に向かってイオンを放出するよう、前記空気清浄装置からの送風方向を制御することを特徴とする画像形成装置。
【請求項２】
前記制御部は、原稿台カバーの開角度が所定角度よりも小さいときに前記空気清浄装置から風量を設定風量に調節制御し、また、原稿台カバーの開角度が所定角度よりも大きいときに弱風量でイオンを放出するよう前記空気清浄装置の送風量を制御することを特徴とする請求項１に記載の画像形成装置。
【請求項３】
前記制御部は、原稿台カバーの開角度が所定角度よりも小さいときに前記空気清浄装置から強風量でイオンを放出するよう制御し、また、原稿台カバーの開角度が所定角度よりも大きいときに弱風量でイオンを放出するよう、前記空気清浄装置の送風量を制御することを特徴とする請求項１に記載の画像形成装置。
【請求項４】
前記空気清浄装置は、複数のイオン発生素子を備え、前記制御部は、駆動させるイオン発生素子数を設定することで、イオンの放出量を変更することを特徴とする請求項２または３に記載の画像形成装置。
【請求項５】
前記制御部は、送風機のファン回転数を変更することにより、イオンの放出量を変更制御することを特徴とする請求項２または請求項３に記載の画像形成装置。
【請求項６】
前記空気清浄装置は、本体筐体にイオンを含む空気を吹き出す吹き出し口を有し、前記制御部は、本体筐体を回転制御して前記吹き出し口からのイオンの放出方向を変更することを特徴とする請求項１に記載の画像形成装置。
【請求項７】
前記空気清浄装置は、本体筐体に形成され、イオンを含む空気が上方に向かって吹き出す上吹き出し口と、本体筐体に形成され、イオンを含む空気が画像形成装置本体側に吹き出す横吹き出し口とを有し、送風機からの送風を上吹き出し口または横吹き出し口に切り換えるダクトダンパーが設けられ、前記制御部は、角度検出センサからの検出角度信号に基づいて前記ダクトダンパーを切換え制御することを特徴とする請求項１に記載の画像形成装置。
【請求項８】
前記イオン発生素子は、正イオンと負イオンとを同時に発生して放出することを特徴とする請求項１に記載の画像形成装置。
【請求項９】
前記原稿台カバーの回動軸は、画像装置本体の上後端部で軸方向を左右方向として配置され、該回動軸よりも後端部側に前記空気清浄装置が配置されたことを特徴とする請求項１に記載の画像形成装置。
【発明の詳細な説明】
【技術分野】
【０００１】
本発明は、室内にイオンを放出して空気を清浄する空気清浄装置付きの画像形成装置に関するものである。
【背景技術】
【０００２】
近年、複写機やプリンタ、ファクシミリ装置等、画像形成を可能とした電子写真方式の画像形成装置が開発されている。これらの画像形成装置は、例えば、静電潜像を感光体ドラム表面に形成し、トナーにより現像して感光体ドラム表面にトナー像を形成し、このトナー像を感光体ドラムから記録用紙に転写し、この記録用紙を加熱及び加圧して、トナー像を記録用紙上に定着させる、いわゆる、記録用紙に対する画像形成処理を行う装置である。
【０００３】
このような画像形成装置においては、記録用紙に対する画像形成処理中に有害な排出ガスが生じることがある。この排出ガスの主成分は、記録用紙から発生するロンギフォレン等であることが知られている。
【０００４】
しかし、画像形成装置は、オフィス等においては必要不可欠なＯＡ機器であって、殆どのオフィスに設置され、更には家庭や病院にも普及しつつある。そのため、画像形成装置から排出される有害な排出ガスは、多くの利用者に不快感を与える。
【０００５】
そこで、画像形成装置におけるこのような有害な排出ガスの浄化を図るべく、各種の提案がなされている（例えば、特許文献１参照）。特許文献１には、送風ファン、マイナスイオン発生部、及びプラスに帯電されたフィルター等を、画像形成装置の内部に設け、装置内部で発生したトナー粉、塵埃をマイナスに帯電させて、マイナス帯電のトナー粉、塵埃をプラス帯電のフィルターに吸着させ、装置外部に放出される有害物質を低減する画像形成装置が開示されている。
【０００６】
一方、オフィス、家庭、病院等においては、室内の空気を浄化する空気清浄機が普及しており、このような空気清浄機には、各種のものが存在する（例えば、特許文献２参照）。特許文献２には、正イオン及び負イオンを同時に発生して、正イオン及び負イオンにより空気中の浮遊細菌を効果的に除去する空気清浄機が開示されている。
【０００７】
さらに、特許文献３においては、本体上面に設けた第１の吸排気手段と、本体下部に設けた第２の吸排気手段と、前記第１の吸排気手段と第２の吸排気手段を連通させて空気を流す正逆切り替え可能なファンモーターと、室内の汚れを検出する汚れ検出手段とを備え、汚れ検出手段の検出結果に基づいてファンモーターの回転方向を切り替えて、空気の流れ方向を切り替えることで、空気澱みを解消し、浮遊粉塵を効率良く除去する空気清浄装置が開示されている。
【先行技術文献】
【特許文献】
【０００８】
【特許文献１】特開２００５−４１４４号公報
【特許文献２】特開２００２−５８７３１号公報
【特許文献３】特開２００９−１４２７３７号公報
【発明の概要】
【発明が解決しようとする課題】
【０００９】
ところで、空気清浄装置を画像形成装置の原稿台カバーの上方で画像形成装置本体の後側に搭載した場合、原稿台カバーの開閉に応じて空気清浄装置からのイオンの放出量および放出方向を調節する必要がある。さもなければ、原稿台カバーを開けたとき、空気清浄装置から放出させたイオンが原稿台カバー面に当たり、イオンが無駄になる。また、ユーザーによっては、原稿台カバーを開けたまま放置させておく場合もあり、このような場合も空気清浄装置からイオンを放出することが無駄となる。
【００１０】
このような原稿台カバーの開閉に伴うイオンの放出の無駄をなくすという課題は、先行技術文献のいずれにも記載されていない。
【００１１】
本発明は、原稿台カバーの開閉角度とイオンの放出とを関連付けて居室にイオンを放出させ、効率のよい空気清浄を行うことができる空気清浄装置付き画像形成装置の提供を目的としている。
【課題を解決するための手段】
【００１２】
上記目的を達成するために、本発明は、画像形成装置本体の上に一端側の回動軸周りに開閉回動自在に設けられた原稿台カバーと、該原稿台カバーの回動軸側に設置され、イオンを放出するイオン発生素子および送風機を有する空気清浄装置と、前記原稿台カバーの開閉状態を検出する角度検出センサと、該角度検出センサからの検出角度に基づいて前記空気清浄装置からの送風方向および送風量を調整制御する制御部とを備え、前記制御部は、原稿台カバーの開角度が所定角度よりも小さいときに画像装置本体側に向かってイオンを放出し、また、原稿台カバーの開角度が所定角度よりも大きいときに上方に向かってイオンを放出するよう、前記空気清浄装置からの送風方向を制御することを特徴とする。
【００１３】
上記構成によると、原稿台カバーの開閉角度により、空気清浄装置からのイオンの放出方向を調節し、原稿台カバーの開閉角度が所定角度の値よりも小さいとき、空気清浄装置からのイオン放出方向が画像形成装置本体側に向かって放出される。そのため、イオンが画像形成装置本体に対面するユーザに向かって放出されることになり、また、原稿台カバーの開閉角度が所定角度の値よりも大きいとき、画像形成装置の上方に向かって放出するので、放出されたイオンが原稿台カバーに当たることなく、居室空間に放出することができ、効率のよい空気清浄を行うことができる。
【００１４】
ここで、送風方向の制御は、次のように行われる。すなわち、空気清浄装置は、本体筐体にイオンを含む空気を吹き出す吹き出し口を有し、制御部は、本体筐体を回転制御して前記吹き出し口からのイオンの放出方向を変更する。あるいは、空気清浄装置は、本体筐体に形成され、イオンを含む空気が上方に向かって吹き出す上吹き出し口と、本体筐体に形成され、イオンを含む空気が原稿台カバー側に吹き出す横吹き出し口とを有し、送風機からの送風を上吹き出し口または横吹き出し口に切り換えるダクトダンパーが設けられ、制御部は、角度検出センサからの検出角度信号に基づいてダクトダンパーを切換え制御する。
【００１５】
また、制御部は、原稿台カバーの開角度が所定角度よりも小さいときに前記空気清浄装置から風量を設定風量に調節制御し、また、原稿台カバーの開角度が所定角度よりも大きいときに弱風量でイオンを放出するよう前記空気清浄装置の送風量を制御する。
【００１６】
原稿台カバーが開いているときは、画像形成装置が動作していないので、このような場合、弱風量として無駄なイオンの放出を抑える。一方、原稿台カバーが閉じているときは、画像形成装置の動作状況やユーザーの好みに合わせて、風量を弱〜強の間で設定可能として、放出されたイオンを有効利用できるようにする。
【００１７】
また、制御部は、原稿台カバーの開角度が所定角度よりも小さいときに空気清浄装置から強風量のイオンを放出するよう制御し、また、原稿台カバーの開角度が所定角度よりも大きいときに弱風量でイオンを放出するよう、前記空気清浄装置の送風量を制御する。
【００１８】
上記構成によると、イオンが有効利用できるときには、空気清浄装置が強風量のイオンを放出し、イオンの利用率を高くする。また、原稿台カバーの角度が所定角度よりも大きいときに、空気清浄装置が弱風量のイオンを放出し、無駄な放出を極力少なくする。
【００１９】
ここで、空気清浄装置は正イオンと負イオンとを同時に発生して放出する。これにより除菌効果を発揮することができる。
【００２０】
また、空気清浄装置は、複数のイオン発生素子を備え、駆動させるイオン発生素子の数を設定することで、イオンの放出量を変更する。
【００２１】
上記構成によると、居室でのイオン濃度が、設定された通常レベル以上になっていれば、複数のイオン発生素子のうち、駆動させるイオン発生素子数を変更することで、イオン放出量を変更することができ、効率的であり、かつ、省エネにも効果を奏する。
【００２２】
また、空気清浄装置は、イオン発生素子を排出する送風ファンを備え、ファンの回転数を変えることで、イオンの放出量を変える。これにより、オフィスでのイオン濃度が、設定された通常レベル以上になっていれば、ファンの回転数を下げる（風量を少なくする）ことで、イオン放出量を変更することができ、効率的であり、かつ、省エネにも効果を奏する。
【発明の効果】
【００２３】
以上のとおり、原稿台カバーの開閉角度により、空気清浄装置からのイオンの放出方向を調節し、原稿台カバーの開閉角度が所定角度の値よりも小さいとき、空気清浄装置からのイオン放出方向が画像形成装置本体側に向かって放出される。そのため、イオンがユーザに向かって放出されることになり、また、原稿台カバーの開閉角度が所定角度の値よりも大きいとき、画像形成装置の上方に向かって放出するので、放出されたイオンが原稿台カバーに当たることなく、居室空間に放出することができ、効率のよい空気清浄を行うことができる。
【図面の簡単な説明】
【００２４】
【図１】本発明の画像形成装置の一実施形態を示す断面図である。
【図２】本発明に係る空気清浄装置付き画像形成装置における送風方向を示す斜視図であって、同図（ａ）は原稿台カバー側にイオンを放出する例を、同図（ｂ）は上方にイオンを放出する例を示す。
【図３】空気清浄装置の断面図である。
【図４】イオン発生素子の配列図である。
【図５】空気清浄装置付き画像形成装置の側面図であって、イオンを上方に放出する例を示す。
【図６】空気清浄装置付き画像形成装置の側面図であって、イオンを画像形成装置本体側に放出する例を示す。
【図７】空気清浄装置の他の例を示す断面図であって、イオンを上方に放出する例を示す。
【図８】図７の空気清浄装置において、イオンの放出方向を画像形成装置本体側に切り換えた例を示す断面図である。
【図９】図７の空気清浄装置を用いた画像形成装置においてイオンを画像形成装置本体側に放出する例を示す斜視図である。
【図１０】図７の空気清浄装置を用いた画像形成装置においてイオンを上方に放出する例を示す側面図である。
【図１１】図７の空気清浄装置を用いた画像形成装置においてイオンを画像形成装置本体側に放出する例を示す側面断面図である。
【図１２】空気清浄装置と閉じている原稿台カバーとの関連を示す画像形成装置の概略構成図である。
【図１３】空気清浄装置と原稿台カバーとの関連を示す画像形成装置の概略構成図であって、（ａ）は原稿台カバーが開いている状態を、（ｂ）は原稿台カバーが閉じている状態を示す。
【図１４】開閉角度検出センサの動作状態を示す概略図であって、（ａ）はカバー開状態を表す図、（ｂ）はカバー閉状態を表す図である。
【発明を実施するための形態】
【００２５】
本発明の実施形態を図面に基づいて説明する。図１は本発明に係る空気清浄装置付き画像形成装置の構成例を示す断面図である。
【００２６】
画像形成装置１００は、図示しない信号線で、空気清浄装置７１に繋げ、画像装置本体内の制御部は空気清浄装置７１の動作をコントローラする。空気清浄装置７１の電源は、画像形成装置１００の電源と独立した別電源とされ、電源供給は室内のコンセントから取り込むようになっている。さらに、画像形成装置１００は、原稿の画像を読み取る読取部と、読み取った画像を記録用紙に複写する画像形成部とを備えている。
【００２７】
読取部には、画像形成装置１００の本体の上端に配置され、原稿を載置するプラテンガラスからなる原稿台ガラス６１と、その上側で開閉自在に設けられた原稿台カバー４２とを備えている。原稿台カバー４２は、その端部に配置された回動軸１０２（図１２参照）を中心に開閉回動自在に設けられる。回動軸１０２は、本例の場合、図１２に示すように、画像形成装置１００の本体の上後端部に軸方向を左右方向として配置され、その後ろ側に空気清浄装置７１が配置されている。
【００２８】
なお、原稿台カバー４２は、画像形成装置１００の本体の左右側端部において軸方向を前後方向とする回動軸によって開閉回動自在に配置する一方、空気清浄装置７１は、回動軸側の画像形成装置１００の本体の左右側端部に配置し、原稿台カバー４２に向かってイオンを放出するように構成した画像形成装置においても本発明を適用することができる。
【００２９】
原稿台カバー４２は、原稿台カバーの開閉状態を検出する角度検出センサ１０３により、その開閉角度が検出される。画像形成装置１００の制御部７４は、カバー角度検出信号を基に原稿台カバー４２の開閉角度に応じて空気清浄装置７１に指令を送り、空気清浄装置７１の動作モードを決定する。すなわち、制御部７４は、空気清浄装置７１の送風方向および送風量を調整制御する。
【００３０】
この制御部７４は、ＣＰＵ、ＲＯＭおよびＲＡＭを備えたマイコンから構成される。制御部７４は、画像形成装置１００における読取部の読取動作および画像形成部の画像形成動作を制御すると共に、外付けする空気清浄装置７１の動作を制御する。
【００３１】
具体的には、制御部７４は、原稿台カバー４２の開角度が所定角度よりも小さいときに画像形成装置本体側に向かってイオンを放出し、また、原稿台カバー４２の開角度が所定角度よりも大きいときに上方に向かってイオンを放出するよう、前記空気清浄装置７１からの送風方向を制御する。
【００３２】
ここで、原稿台カバー４２の開角度が所定角度よりも小さいときにイオンを放出する画像形成装置本体側とは、画像形成装置本体の上方以外に方向であって、自装置である装置本体側から上方向の範囲を指す。例えば、イオン放出方向が原稿台カバー側に向かってやや下向き、あるいは原稿台カバーの上方において原稿台カバーとほぼ水平な方向、さらには原稿台カバーの上方において斜め上方向を指す。また、原稿台カバー４２の開角度が所定角度よりも大きいときにイオンを放出する画像形成装置の上方とは、放出するイオンが原稿台カバーに当たらない上方向を指す。
【００３３】
角度検出センサ１０３は、図１３および図１４に示すように、例えば、原稿台カバーの開閉検知アクチュエータ１０４と、該検知アクチュエータ１０４の動作状況を検知する受発光素子１０６ａ、１０６ｂとを備えている。
【００３４】
検知アクチュエータ１０４は、画像形成装置１００の本体の原稿台ガラス６１の上面側で、検知窓１０５から出没自在に設置され、図示しないバネにより常時上方に突出するように構成され、その上方に配置された原稿台カバー４２が、閉時に検知アクチュエータ１０４を押し下げて、その押し下げ量によって受発光素子１０６ａ，１０６ｂにおける受光量が変化することを利用して原稿台カバー４２の開閉角度を検出するようにしている。
【００３５】
すなわち、受発光素子１０６ａ、１０６ｂは、検知窓１０５において検知アクチュエータ１０４を挟んで、その両側に配置され、検知アクチュエータ１０４の上下動により、発光素子１０６ａから出た光がアクチュエータ１０４で遮光され、受光素子１０６ｂに受光される受光量が変化することを利用して原稿台カバー４２の開閉角度を検出するようにしている。
【００３６】
原稿台カバー４２の開閉具合により、空気清浄装置７１の動作モードは以下のように決定される。
【００３７】
《原稿台カバーを閉じた場合》
原稿台カバー４２を閉じた場合の空気清浄装置７１の動作モードは次のようになる。画像形成装置１００は、イオンを放出するコマンドを受けると、まず、原稿台カバー４２の開閉状態を照合する。照合は、原稿台カバー４２の開閉角度を検出する角度検出センサ１０３を用いて行われる。角度検出センサ１０３の信号の電圧レベルあるいはＯＮ/ＯＦＦ状況に応じて、原稿台カバー４２の開閉角度を検知する。原稿台カバー４２が閉じたとき、画像形成装置の制御部７４が原稿台カバー４２が閉じる状態を検知する。
【００３８】
次に、画像形成装置の制御部７４が、空気清浄装置７１のイオン放出モードの設定を行う。原稿台カバー４２を閉じると、イオンの放出量を「強」レベルに設け、イオンの放出方向を画像形成装置１００の前方向に指定する。その後、空気清浄装置７１が画像形成装置１００の制御部７４からのコマンドを受けて、「強」風量で画像形成装置１００の前方向にイオンを放出する。
【００３９】
《原稿台カバーを開けた場合》
原稿台カバー４２が開いた場合の空気清浄装置７１の動作モードは次のようになる。画像形成装置１００は、イオンを放出するコマンドを受けると、まず、上記と同様に原稿台カバー４２の開閉状態を照合する。このとき、画像形成装置１００の制御部７４が原稿台カバー４２の開放状態を検出する。
【００４０】
次に、画像形成装置１００の制御部７４が空気清浄装置７１のイオン放出モードの設定を行う。この場合、原稿台カバー４２が開いているため、制御部７４は、イオンの放出量を「弱」レベルに設定し、また、イオンの放出方向を画像形成装置１００の上方向に指定する。その後、空気清浄装置７１が画像形成装置１００の制御部７４からのコマンドを受けて、「弱」風量で画像形成装置１００の上方向にイオンを放出する。
【００４１】
表１は原稿台カバー４２の開閉状態における、イオンを放出方向、風量、イオン発生素子の駆動状態をまとめたものである。
【００４２】
【表１】
2011090109.tif 000003
【００４３】
ケース１は、原稿台カバー４２の開放角度が所定角度よりも小さいとき（閉じている場合も含む）で、イオン放出方向が自装置（画像形成装置）側、つまり原稿台カバー側とし、風量を弱、中、強の範囲で設定可能とされ、複数（例えば、図４に示すように、２ユニットの場合）のイオン発生素子のうち１ユニット以上（つまり２ユニット）を動作させる例を示す。
【００４４】
ケース２は、原稿台カバー４２の開放角度が所定角度よりも小さいとき（閉じている場合も含む）で、イオン放出方向を自装置（画像形成装置）側から上向きまで吹き出し方向を変更するもので、風量を弱、中、強の範囲で設定可能とされ、さらに、複数（例えば、図４に示すように、２ユニットの場合）のイオン発生素子のうち１ユニット以上（つまり２ユニット）を動作させる例を示す。この例では、原稿台カバー４２が閉じているので、イオン放出方向は、自装置側から上方向の範囲で適宜設定してもイオン放出方向でイオンを含んだ風が原稿台カバー４２に当たることなく、効率よくイオンを放出することができる。
【００４５】
ケース３は、原稿台カバー４２の開放角度が所定角度よりも大きく開放している場合で、イオン放出方向を上向きとし、風量を弱に設定し、さらに、複数（例えば、図４に示すように、２ユニットの場合）のイオン発生素子のうち１ユニットのみ動作させる例を示す。この例では、原稿台カバーが開いているので、イオン放出方向は、上向きに設定して、放出されたイオンを含んだ風が原稿台カバーに当たらないようにして、イオンの放出を効率よく行う。
【００４６】
《画像形成装置・空気清浄装置の説明》
画像形成装置１００は、図１に示すように、原稿を読み取る原稿読取部１０１と、原稿読取部１０１で読取られた原稿の画像又は外部から受信した画像をカラーもしくは単色で記録用紙に記録形成する画像形成部とを有している。
【００４７】
原稿読取部１０１は、原稿台ガラス６１上に原稿台カバー４２が開閉回動自在に設けられている。原稿台カバー４２には、原稿をセットする原稿セットトレイ４１と、原稿を読み込んだ後に排紙された原稿を受ける原稿排紙トレイ５９と、原稿セットトレイ４１から原稿排紙トレイ５９に至り、途中で原稿を読み取る搬送経路４７とが形成されている。
【００４８】
原稿読取部１０１では、原稿セットトレイ４１から原稿搬送経路４７に送られてきた原稿画像を読取る。原稿台カバー４２の上面で、原稿が原稿セットトレイ４１にセットされ、操作パネル７５で操作ボタンが押されると、その操作信号が制御部７４に入力され、原稿読取動作が実行される。
【００４９】
原稿読取動作は、まず、原稿ピックアップローラ４４が原稿表面に押し付けられて回転され、原稿が原稿セットトレイ４１から引き出され、原稿がサバキローラ４５と分離パッド４６との間を通過して１枚ずつに分離されてから搬送経路４７へと搬送される。
【００５０】
搬送経路４７では、原稿の先端が原稿レジストローラ４９に当接して、原稿の先端が原稿レジストローラ４９と平行に揃えられ、この後に原稿が原稿レジストローラ４９により搬送されて読取りガイド５１と読取りガラス５２間を通過する。さらに、原稿は、搬送ローラ５７により搬送され、排紙ローラ５８を介して排紙トレイ５９に排出される。
【００５１】
原稿読取部１０１では、原稿が読取りガイド５１と読取りガラス５２間を通過するに際し、第１走査部５３の光源の光が読取りガラス５２を介して原稿表面に照射され、その反射光が読取りガラス５２を介して第１走査部５３に入射し、この反射光が第１及び第２走査部５３、５４のミラーで反射されて結像レンズ５５へと導かれ、結像レンズ５５によって原稿の画像がＣＣＤ（Charge Coupled Device）５６上に結像される。ＣＣＤ５６は、原稿の画像を読取り、原稿の画像を示す画像データを出力する。
【００５２】
また、原稿台ガラス６１上に載置された原稿を読取ることができる。原稿台カバー４２は、原稿読取部１０１の背面側で回動軸により開閉可能に枢支されており、この原稿台カバー４２が開かれると、原稿台ガラス６１が開放されて、原稿台ガラス６１上に原稿を載置することができる。
【００５３】
原稿が載置されて、原稿台カバー４２が閉じられ、操作パネル７５で操作ボタンが押されると、その操作信号が制御部７４に入力され、原稿読取動作が実行される。原稿読取動作は、まず、第１及び第２走査部５３、５４が副走査方向に移動されつつ、第１走査部５３によって原稿台ガラス６１上の原稿表面が露光され、第１及び第２走査部５３、５４によって原稿表面からの反射光が結像レンズ５５へと導かれ、結像レンズ５５によって原稿の画像がＣＣＤ５６上に結像される。
【００５４】
このとき、第１及び第２走査部５３、５４が相互に所定の速度関係を維持しつつ移動されて、原稿表面→第１及び第２走査部５３、５４→結像レンズ５５→ＣＣＤ５６という反射光の光路の長さが変化しないように第１及び第２走査部５３、５４の位置関係が常に維持され、これによりＣＣＤ５６上での原稿の画像のピントが常に正確に維持される。
【００５５】
こうして読取られた原稿の画像全体は、画像データとして画像形成装置１００のレーザ露光装置１へと送受され、画像形成装置１００において画像が記録用紙に記録される。
【００５６】
一方、画像形成装置１００は、レーザ露光装置１、現像装置２、感光体ドラム３、帯電器５、クリーナ装置４、中間転写ベルト装置８、定着装置１２、用紙搬送経路Ｓ、給紙トレイ１０及び用紙排出トレイ１５とを備えている。
【００５７】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。
【００５８】
従って、現像装置２、感光体ドラム３、帯電器５、クリーナ装置４は各色に応じた４種類の潜像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。  感光体ドラム３は、画像形成装置１００のほぼ中央に配置されている。
【００５９】
帯電器５は、感光体ドラム３の表面を所定の電位に均一に帯電させるための帯電手段であり、接触型であるローラ型やブラシ型の帯電器のほか、チャージャー型の帯電器が用いられる。
【００６０】
レーザ露光装置１は、レーザダイオード及び反射ミラーを備えたレーザスキャニングユニット（ＬＳＵ）であり、帯電された感光体ドラム３表面を画像データに応じて露光して、その表面に画像データに対応する静電潜像を形成する。
【００６１】
現像装置２は、感光体ドラム３上に形成された静電潜像を（Ｋ、Ｃ、Ｍ、Ｙ）のトナーにより現像する。クリーナ装置４は、現像及び画像転写後に感光体ドラム３の表面に残留したトナーを除去し、回収する。
【００６２】
感光体ドラム３の上方に配置されている中間転写ベルト装置８は、中間転写ベルト７、中間転写ベルト駆動ローラ２１、従動ローラ２２、中間転写ローラ６、及び中間転写ベルトクリーニング装置９を備えている。  
【００６３】
中間転写ベルト駆動ローラ２１、中間転写ローラ６、従動ローラ２２等は、中間転写ベルト７を張架して支持し、中間転写ベルト７を矢印Ｃ方向に周回移動させる。
【００６４】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００６５】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルトは、厚さ１００μｍ〜１５０μｍ程度のフィルムを用いて無端ベルト状に形成されている。
【００６６】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えばＥＰＤＭ、発泡ウレタン等のゴム状弾性体）により覆われているローラである。この導電性の弾性材により、記録用紙に対して均一に高電圧を印加することができる。
【００６７】
上述の様に各感光体ドラム３の表面のトナー像は、中間転写ベルト７で積層され、画像データによって示されるカラーのトナー像となる。このように積層された各色のトナー像は、中間転写ベルト７と共に搬送され、中間転写ベルト７と接触する２次転写装置１１の転写ローラ１１ａによって記録用紙上に転写される。
【００６８】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（例えば、弾性ゴムローラ、または発泡性樹脂ローラ）としている。
【００６９】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７の裏側が支持されている。
【００７０】
給紙トレイ１０は、記録用紙を格納しておくためのトレイであり、画像形成装置１００の画像形成部の下側に設けられて、トレイ内の記録用紙を供給する。
【００７１】
画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００７２】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【００７３】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、感光体ドラム３及び中間転写ベルト７の回転にあわせて、記録用紙をタイミングよく搬送する。
【００７４】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００７５】
定着装置１２は、加熱ローラ３１及び加圧ローラ３２等を備えている。加熱ローラ３１及び加圧ローラ３２は、中間転写ベルト７と２次転写装置１１の転写ローラ１１ａ間のニップ域を通過して来た記録用紙を挟み込んで搬送する。
【００７６】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００７７】
各色のトナー像の定着後の記録用紙は、搬送ローラによって用紙排出トレイ１５上にフェイスダウンで排出される。
【００７８】
このような画像形成装置１００においては、先に述べたような電子写真方式により記録用紙の印刷を行うに際し、有害な排出ガスが生じることがある。この排出ガスの主成分は、記録用紙から発生すると推定されるロンギフォレン等である。このような有害な排出ガスを放置していたのでは、画像形成装置１００の利用者に不快感を与えてしまい、好ましくない。
【００７９】
そこで、本例の画像形成装置１００では、図１及び図２（ａ）に示すように、画像形成装置１００の本体の上方に空気清浄装置７１を設け、空気清浄装置７１により正イオン及び負イオンを発生させ、正イオン及び負イオンを空気清浄装置７１から矢印Ｄの斜め下方に放出している。これにより、エアーカーテンのように正イオン及び負イオンが画像形成装置１００の本体前側を主に覆って、排出ガスの臭気が除去される。
【００８０】
このような正イオン及び負イオンにより、画像形成装置１００の外部からでも排出ガスの影響を効果的に抑えられることが実験で確認されている。
【００８１】
また、画像形成装置１００の待機状態においては、排出ガスが発生しないため、図２（ｂ）に示すように、空気清浄装置７１からの正イオン及び負イオンの放出方向を矢印Ｅの上方向に変更して、正イオン及び負イオンを室内全体に流して拡散させ、正イオン及び負イオンにより空気中の浮遊細菌を除去して、空気の浄化を広い範囲で行うようにしている。
【００８２】
ここでは、正イオン及び負イオンの放出方向を矢印Ｄの斜め下方に設定しているが、この矢印Ｄの方向だけに限らず、正イオン及び負イオンが画像形成装置１００を覆うように、該画像形成装置１００側の向きに放出されれば、正イオン及び負イオンの放出方向を変更してもよい。
【００８３】
また、正イオン及び負イオンの放出方向を矢印Ｅの上方向に設定しているが、この矢印Ｅの方向だけに限らず、正イオン及び負イオンが図２（ｂ）の一点鎖線で示す上側の向きの範囲Ｘに放出されれば、正イオン及び負イオンの放出方向を変更してもよい。さらに、上側の向きの範囲Ｘだけに限らず、室内全体に拡散するような画像形成装置１００とは逆側の向きに正イオン及び負イオンの放出方向を変更してもよい。
【００８４】
図１及び図２（ａ）（ｂ）から明らかなように、画像形成装置１００の本体の背面片側のコーナー１００ａには支柱７２が突設されており、この支柱７２の上端で空気清浄装置７１の一端側の軸７１ａが矢印Ｆの方向に回転可能に軸支され、空気清浄装置７１の軸７１ａがモータ駆動ユニット７３の出力軸に接続されている。
【００８５】
モータ駆動ユニット７３により、空気清浄装置７１の軸７１ａが往復回転駆動されて、空気清浄装置７１が矢印Ｆの方向に往復回転され、空気清浄装置７１からの正イオン及び負イオンの放出方向が矢印Ｄ及び矢印Ｅのいずれかの向きに変更される。
【００８６】
図１に示すように、モータ駆動ユニット７３は、画像形成装置１００に内蔵の制御部７４に接続され、制御部７４により駆動制御される。制御部７４は、モータ駆動ユニット７３の制御だけではなく、画像形成装置１００全体の制御を司っており、画像形成装置１００の動作状態に応じてモータ駆動ユニット７３を駆動制御して、空気清浄装置７１の回転位置を制御し、空気清浄装置７１からのイオンの放出方向を矢印Ｄ及び矢印Ｅのいずれかの向きに設定する。
【００８７】
図１及び図２（ａ）、（ｂ）に示すように、支柱７２が本体の背面片側のコーナー１００ａに配置され、支柱７２により空気清浄装置７１が水平に片持ちされているので、画像形成装置１００の上方スペースが開放されて、画像形成装置１００の使い勝手が損なわれずに済む。また、画像形成装置１００は、その背面側が壁等に向けて配置されるように構成されている。このため、空気清浄装置７１が画像形成装置１００の背面側に設けられており、空気清浄装置７１が壁際に配置されて邪魔にならないようにされている。
【００８８】
また、空気清浄装置７１は、図３に示すように、本体筐体８１と、本体筐体８１の下部に配置された送風装置としてのファンユニット８２と、本体筐体８１の下側壁に形成された複数の吸入孔８１ａとファンユニット８２の吸入口８２ａとの間に配置された吸入ダクト８３と、本体筐体８１の上部に形成された上部吹き出し口８１ｂとファンユニット８２の吹き出し口８２ｂとの間に配置された吹き出しダクト８４と、ファンユニット８２の周囲に配置された複数のイオン発生素子８５とを備えている。
【００８９】
図１及び図２（ａ）、（ｂ）に示すように、空気清浄装置７１が画像形成装置１００の幅方向に長いため、本体筐体８１、ファンユニット８２、各吸入孔８１ａ、吸入ダクト８３、放出口８２ｂ、及び放出ダクト８４も画像形成装置１００の幅方向に長く、また複数のイオン発生素子８５を画像形成装置１００の幅方向に配列している。
【００９０】
ファンユニット８２のファン８２ｃは、モータ（図示せず）により回転駆動されると、矢印Ｇに示すような空気流を発生し、空気を各吸入孔８１ａから吸入ダクト８３を通じてファンユニット８２内へと吸入し、空気を各イオン発生素子８５近傍に流してから、空気を吹き出しダクト８４を通じて上部吹き出し口８１ｂから放出する。このファン８２ｃのモータ（図示せず）も、モータ駆動ユニット７３と同様に、画像形成装置１００に内蔵の制御部７４に接続され、制御部７４により駆動制御される。
【００９１】
図３の矢印Ａ方向から各イオン発生素子８５を見ると、図４に示すように、２個のイオン発生素子８５が画像形成装置１００の幅方向に配列されている。各イオン発生素子８５は、それぞれ、正イオンを発生する一対の正イオン発生部８５ａと、負イオンを発生する一対の負イオン発生部８５ｂとが配列されている。このようなイオン発生素子８５は、本願発明の出願人が先に出願した特開２００２−５８７３１号に詳しく開示されている。  
【００９２】
このイオン発生素子８５により発生された正イオン及び負イオンは、ファンユニット８２のファン８２ｃにより発生された空気流と共に吹き出しダクト８４を通じて上部吹き出し口８１ｂから放出される。
【００９３】
このような構成において、図１の制御部７４は、先に述べたように画像形成装置１００の全体の制御を司っており、電源スイッチがオンになると、予め設定された手順で画像形成装置１００の各部を駆動制御して、画像形成装置１００を待機状態に設定する。
【００９４】
この待機状態においては、操作パネル７５の入力操作により原稿画像の複写を指示することができる。制御部７４は、操作パネル７５の入力操作に基づく複写を指示する印刷指示信号を入力すると、この印刷指示信号に応答して画像形成装置１００の動作を開始して、画像形成装置１００の動作状態を設定し、原稿画像を読取り、読取った原稿画像を記録用紙に複写する。この場合は、画像形成装置１００が複写機として機能する。
【００９５】
また、画像形成装置１００は、ネットワークに接続されたインターフェース７６を備えており、ネットワークＮを通じてパーソナルコンピュータ等の外部端末装置（図示せず）に接続され、外部端末装置からインターフェース７６へと画像及び印刷指示信号を受信する。制御部７４は、この受信した画像及び印刷指示信号を入力し、この印刷指示信号に応答して画像形成装置１００の動作を開始して、画像形成装置１００の動作状態を設定し、この画像を記録用紙に印刷する。この場合、画像形成装置１００は、プリンタとして機能する。
【００９６】
さらに、印刷処理が終了した後、印刷処理が実行されないまま一定時間が経過すると、画像形成装置１００が再び待機状態となり、次の印刷指示信号の入力が待機される。
【００９７】
なお、待機状態とは、印刷処理が実行されていない状態であって、直ちに印刷処理の実行に移れる状態である。
【００９８】
ここで、制御部７４は、画像形成装置１００を待機状態と動作状態とに拘わらず、イオン放出モードになると、イオンを放出する。この際、原稿台カバー４２の開閉状態を照合し、原稿台カバー４２の開角度が所定角度よりも小さいときに画像形成装置本体側に向かってイオンを放出し、また、原稿台カバー４２の開角度が所定角度よりも大きいときに上方に向かってイオンを放出するよう、前記空気清浄装置７１からの送風方向を制御する。
【００９９】
制御部７４は、原稿台ガラスと原稿台カバー４２との成す角度が所定角度より大きいときは、モータ駆動ユニット７３を駆動制御して、空気清浄装置７１の回転位置を制御し、図２（ｂ）及び図５に示すように空気清浄装置７１からのイオンの放出方向を矢印Ｅの上方向に設定する。これにより、正イオン及び負イオンが室内全体に流れて拡散し、正イオン及び負イオンにより空気中の浮遊細菌が除去されて、空気の浄化が広い範囲で行われる。
【０１００】
このとき、制御部７４は、モータ駆動ユニット７３の駆動制御により空気清浄装置７１を軸７１ａ周りの一定角度範囲で往復回転させてもよい。すなわち、空気清浄装置７１をスイング動作させ、これにより、正イオン及び負イオンの放出範囲を広げることができる。
【０１０１】
また、制御部７４は、ファンユニット８２のファン８２ｃのモータの駆動制御によりファン８２ｃの回転速度を遅くする。これによって、空気清浄装置７１からの空気が穏やかに放出され、無駄な正イオン及び負イオンの放出を抑える。
【０１０２】
また、制御部７４は、原稿台ガラスと原稿台カバー４２との成す角度が所定角度より小さいときは、原稿台カバー４２が閉じている状態なので、モータ駆動ユニット７３を駆動制御して、空気清浄装置７１の回転位置を制御し、図２（ａ）及び図６に示すように、空気清浄装置７１からのイオンの放出方向を矢印Ｄの斜め下方に設定する。これにより、正イオン及び負イオンにより画像形成装置１００の本体前側が主に覆われて、排出ガスの臭気が除去される。
【０１０３】
通常、ユーザーが画像形成装置１００の本体前側に立つので、正イオン及び負イオンを矢印Ｄの向きに放出して、正イオン及び負イオンにより画像形成装置１００の本体前側を主に覆えば、ユーザー周辺の排出ガスの臭気を効果的に除去することができる。
【０１０４】
このときにも、制御部７４は、モータ駆動ユニット７３の駆動制御により空気清浄装置７１を軸７１ａ周りの一定角度範囲で往復回転させ、空気清浄装置７１をスイング動作させてもよい。
【０１０５】
また、制御部７４は、ファンユニット８２のファン８２ｃのモータの駆動制御によりファン８２ｃの回転速度を速くする。これによって、空気清浄装置７１からは空気の放出速度および放出量が増大し、空気の流れが矢印Ｄのように下方に流れ、画像形成装置１００の本体前側に立ったユーザに吹き付けられ、正イオン及び負イオンにより画像形成装置１００の本体前側を確実に覆うことができる。
【０１０６】
このように、正負のイオン放出により画像形成装置１００を覆えば、画像形成装置１００の排出ガスの影響を効果的に抑えられることが実験で確認されている。このため、空気清浄装置７１を画像形成装置１００の外側に配置することができ、画像形成装置１００の本体の大型化を避けることができる。また、この空気清浄装置７１により室内の空気が浄化されるので、空気清浄機を別途設ける必要がなく、室内の空間を有効利用することができ、また設備費用を節減することができる。
【０１０７】
図７は空気清浄装置の他の例を示す断面図である。なお、図７において、図３と同様の作用を果たす部位には同じ符号を付して、その説明を簡略化する。図７に示すように空気清浄装置７１Ａでは、図３の空気清浄装置の本体筐体８１及吹き出しダクト８４の代わりに、以下の空気清浄装置の本体筐体８１Ａ及び吹き出しダクト８４Ａを設けている。
【０１０８】
本体筐体８１Ａは、図３の本体筐体８１と同様に複数の吸入孔８１ａ及び上部吹き出し口８１ｂを有するだけではなく、側部吹き出し口８１ｃを有している。
【０１０９】
吹き出しダクト８４Ａは、相互に対向する第１及び第２可動ダクト壁９１、９２を有している。第１可動ダクト壁９１は、その上端の軸９１ａを枢支されて、この軸９１ａ周りで矢印Ｈの方向に往復回動することができる。また、第２可動ダクト壁９２は、その下端の軸９２ａを枢支されて、この軸９２ａ周りで矢印Ｉの方向に往復回動することができる。
【０１１０】
第１及び第２可動ダクト壁９１、９２の軸９１ａ、９２ａは、ダクト用モータ駆動ユニット（図示せず）により同時に回転駆動されて、同時に往復回転される。
【０１１１】
画像形成装置１００内の制御部７４は、画像形成装置１００の待機状態及び動作状態に応じてそのダクト用モータ駆動ユニットを駆動制御し、第１及び第２可動ダクト壁９１、９２の軸９１ａ、９２ａを同時に往復回転させる。これにより、第１及び第２可動ダクト壁９１、９２が図７又は図８に示すように選択的に位置決めされる。
【０１１２】
図７に示すように、第１及び第２可動ダクト壁９１、９２が位置決めされた状態では、第１可動ダクト壁９１が側部吹き出し口８１ｃを閉じるので、空気清浄装置７１Ａにおける空気流が矢印Ｊに示すように発生し、各吸入孔８１ａ→吸入ダクト８３→ファンユニット８２内の各イオン発生素子８５近傍→吹き出し口８２ｂ→吹き出しダクト８４Ａ→上部吹き出し口８１ｂという経路で空気が流れて上方向に放出される。
【０１１３】
また、図８に示すように、第１及び第２可動ダクト壁９１、９２が位置決めされた状態では、第１可動ダクト壁９１が側部吹き出し口８１ｃを開放し、第２可動ダクト壁９２が上部吹き出し口８１ｂを閉じるので、空気清浄装置７１Ａにおける空気流が矢印Ｋに示すように発生し、各吸入孔８１ａ→吸入ダクト８３→ファンユニット８２内の各イオン発生素子８５近傍→吹き出し口８２ｂ→側部吹き出し口８１ｃという経路で空気が流れて斜め下方向に放出される。
【０１１４】
図９は、空気清浄装置７１Ａを画像形成装置１００に取り付けた状態を示している。画像形成装置１００の本体の背面中央には支柱９３が突設されており、この支柱９３の上端に空気清浄装置７１Ａの中央を安定的に支持している。
【０１１５】
ここで、制御部７４は、画像形成装置１００の原稿台ガラスと原稿台カバー４２との成す角度が所定角度よりも大きい場合、ダクト用モータ駆動ユニットを駆動制御して、第１及び第２可動ダクト壁９１、９２の軸９１ａ、９２ａを同時に回転させ、図７に示すように第１及び第２可動ダクト壁９１、９２を位置決めする。このため、図１０に示すように、空気清浄装置７１の上部吹き出し口８１ｂから空気が正イオン及び負イオンと共に矢印Ｌの上方向に放出される。これにより、正イオン及び負イオンが室内全体に流れて拡散し、空気の浄化が効果的になされる。
【０１１６】
このとき、ファン８２ｃのモータの駆動制御によりファン８２ｃの回転速度を遅くして、空気清浄装置７１Ａからの空気が穏やかに放出され、無駄な正イオン及び負イオンの放出を抑える。
【０１１７】
また、制御部７４は、原稿台ガラスと原稿台カバー４２との成す角度が所定角度より小さいとき（原稿台カバー４２の閉状態を含む）、ダクト用モータ駆動ユニットを駆動制御して、第１及び第２可動ダクト壁９１、９２の軸９１ａ、９２ａを同時に回転させ、図８に示すように第１及び第２可動ダクト壁９１、９２を位置決めする。
【０１１８】
このため、図１１に示すように空気清浄装置７１Ａの側部吹き出し口８１ｃから空気が正イオン及び負イオンと共に矢印Ｍの斜め下方向（画像形成装置１００側の向き）に放出される。この正イオン及び負イオンにより画像形成装置１００の本体前側が主に覆われ、ユーザ周辺の排出ガスの臭気が効果的に除去される。
【０１１９】
このとき、ファン８２ｃのモータの駆動制御によりファン８２ｃの回転速度を速くして、空気清浄装置７１からの空気の放出速度および放出量を増大させると、空気の流れが矢印Ｄのように下方に流れ、画像形成装置１００の本体前側に立ったユーザに吹き付けられ、正イオン及び負イオンにより画像形成装置１００の本体前側を確実に覆うことができる。
【０１２０】
従って、このような空気清浄装置７１Ａを用いても、画像形成装置１００の原稿台カバーの開閉状態に応じて正イオン及び負イオンの放出方向を変更し、原稿台カバーの開状態のときには空気の浄化を行い、閉状態のときには排出ガスの臭気を除去することができる。
【０１２１】
なお、本発明は、上記実施形態に限定されるものではなく、本発明の範囲内で多くの修正・変更ができるのは勿論である。例えば、空気清浄装置７１やモータ駆動ユニット７３をオプションで後付けすることができるようにしてもよい。この場合は、空気清浄装置７１側にモータ駆動ユニット７３等を駆動制御するための制御部を設けておき、この制御部と画像形成装置１００の制御部７４とをシリアル通信用のケーブル並びにコンセントを介して接続し、両者の制御部間のデータ通信により、画像形成装置１００の制御部７４から空気清浄装置７１側の制御部へと指示を送受して、空気清浄装置７１側の制御部によりモータ駆動ユニット７３等を制御する。
【０１２２】
さらに、画像形成装置の構造や使用状況等に応じて、空気清浄装置７１の取り付け位置を変更してもよい。上記の例では、画像形成装置の背面側を壁等に向けて配置することを想定して、支柱を画像形成装置の背面側に突設し、この支柱の上端に空気清浄装置７１を水平に支持しているが、画像形成装置の構造や使用状況によっては、画像形成装置の側面を壁等に向けて配置することがある。この場合は、支柱を画像形成装置の側壁に突設し、この支柱の上端に空気清浄装置７１を支持すると、空気清浄装置７１が壁際に配置されて、空気清浄装置７１が邪魔にならずに済む。あるいは、支柱を用いずに、空気清浄装置７１を垂直に取り付けたり、画像形成装置本体の外壁に直接取り付けてもよい。更に、複数の空気清浄装置７１を分散して取り付けても構わない。
【符号の説明】
【０１２３】
１    レーザ露光装置
２    現像装置
３    感光体ドラム
４    クリーナ装置
５    帯電器
８    中間転写ベルト装置
１０    給紙トレイ
１２    定着装置
１５    用紙排出トレイ
４１    原稿セットトレイ
４２    原稿台カバー
４４    ピックアップローラ
４５    サバキローラ
４６    分離パッド
４７    搬送経路
４９    レジストローラ
５１    読取りガイド
５２    読取りガラス
５４    第２走査部５４
５５    結像レンズ
５６    ＣＣＤ
５７    搬送ローラ
５８    排紙ローラ
５９    排紙ローラ
５３    第１走査部
６１    原稿台ガラス
７１    空気清浄装置
７２    支柱
７３    モータ駆動ユニット
７４    制御部
７５    操作パネル
８１    本体筐体
８１ａ    吸入孔
８２    ファンユニット
８２ａ    吸入口
８５    イオン発生素子
１００    画像形成装置
１０１    原稿読取部
１０２    回動軸
１０３    角度検出センサ
１０４    アクチュエータ
１０５    検知窓
１０６ａ  発光素子
１０６ｂ  受光素子
【図１】
2011090109.tif 000004
【図２】
2011090109.tif 000005
【図３】
2011090109.tif 000006
【図４】
2011090109.tif 000007
【図５】
2011090109.tif 000008
【図６】
2011090109.tif 000009
【図７】
2011090109.tif 000010
【図８】
2011090109.tif 000011
【図９】
2011090109.tif 000012
【図１０】
2011090109.tif 000013
【図１１】
2011090109.tif 000014
【図１２】
2011090109.tif 000015
【図１３】
2011090109.tif 000016
【図１４】
2011090109.tif 000017